(57)【要約】【課題】受光素子を外力から保護できる空気調和装置の室内機を提供する。【解決手段】この室内機は、受光素子１２が取り付けられた室内機本体１９を覆うキャビネット１の前面部４に受光素子１２へ光を通す受光孔５が形成され、この受光孔５に透過部材５が取り付けられている。よって、前面部４に透過部材６を覆うように取り付けられたシート７に外力が加わって変形しても、シート７よりも受光素子１２側で前面部４の受光孔５に取り付けた透過部材６によってシート７を支持するから、シート７から受光素子１２に外力が加わらないようにでき、受光素子１２を外力から保護できる。【選択図】図３
2008267624.tif 000002
【特許請求の範囲】
【請求項１】
室内機本体(１９)と、
上記室内機本体(１９)を覆うキャビネット(１)と、
上記室内機本体(１９)に取り付けられた受光素子(１２)とを備え、
上記キャビネット(１)は、
上記受光素子(１２)へ光を通す受光孔(５)が形成された前面部４と、
上記受光孔(５)に取り付けられていると共に上記受光素子(１２)へ光を通す透過部材(６)と、
上記前面部(４)に上記透過部材(６)を覆うように取り付けられたシート(７)とを備えることを特徴とする空気調和装置の室内機。
【請求項２】
請求項１に記載の空気調和装置の室内機において、
上記前面部(４)の前面(４Ｂ)と上記シート(７)とが略同一面にあることを特徴とする空気調和装置の室内機。
【請求項３】
請求項１に記載の空気調和装置の室内機において、
上記透過部材(６)は、ポリカーボネートまたはアクリル樹脂で作製されていることを特徴とする空気調和装置の室内機。
【請求項４】
請求項１に記載の空気調和装置の室内機において、
上記透過部材(６)の厚さを、１ｍｍ以上かつ５ｍｍ以下にしたことを特徴とする空気調和装置の室内機。
【請求項５】
請求項１に記載の空気調和装置の室内機において、
上記透過部材(６)は、赤外線を透過すると共に着色されていることを特徴とする空気調和装置の室内機。
【請求項６】
請求項１に記載の空気調和装置の室内機において、
上記透過部材(６)は、前面(６Ｃ)または裏面(６Ｄ)がシボを有することを特徴とする空気調和装置の室内機。
【請求項７】
請求項１に記載の空気調和装置の室内機において、
上記透過部材(６)の裏面(６Ｄ)が凹凸部(１７)を有することを特徴とする空気調和装置の室内機。
【発明の詳細な説明】
【技術分野】
【０００１】
この発明は、空気調和装置の室内機に関する。
【背景技術】
【０００２】
従来、空気調和装置の室内機としては、リモートコントローラから送信される信号光を受光して、空気調和装置の動作を制御するための信号を発生する受光素子を備えるものがある。上記室内機では、上記受光素子に信号光を入射させるために前面部に形成された受光孔を銘板等の薄板で覆って、上記受光素子が外から直接見えないようにしている。
【０００３】
しかし、上記薄板に外力が加わると、薄板が変形あるいは破損して受光素子に接触する場合があり、故障や不具合を招く可能性が生じる。
【特許文献１】特開２０００−２７４７２９号公報
【特許文献２】特開平１１−３２５５６０号公報
【発明の開示】
【発明が解決しようとする課題】
【０００４】
そこで、この発明の課題は、受光素子を外力から保護できる空気調和装置の室内機を提供することにある。
【課題を解決するための手段】
【０００５】
上記課題を解決するため、この発明の空気調和装置の室内機は、室内機本体と、上記室内機本体を覆うキャビネットと、上記室内機本体に取り付けられた受光素子とを備え、
上記キャビネットは、
上記受光素子へ光を通す受光孔が形成された前面部と、
上記受光孔に取り付けられていると共に上記受光素子へ光を通す透過部材と、
上記前面部に上記透過部材を覆うように取り付けられたシートとを備えることを特徴としている。
【０００６】
この発明の空気調和装置の室内機によれば、上記シートに外力が加わって変形しても、上記シートよりも受光素子側で前面部の受光孔に取り付けた透過部材によって上記シートを支持するから、上記シートから受光素子に外力が加わらないようにでき、受光素子を外力から保護できる。
【０００７】
また、一実施形態では、上記前面部の前面と上記シートとが略同一面にある。
【０００８】
この実施形態によれば、前面部を平坦化でき、凹凸を少なくして損傷し難くできる。
【０００９】
また、一実施形態では、上記透過部材は、ポリカーボネートまたはアクリル樹脂で作製されている。
【００１０】
この実施形態によれば、上記透過部材をポリカーボネートで作製した場合には耐衝撃性,耐熱性に優れ、上記透過部材をアクリル樹脂で作製した場合には透明性が高く圧力耐性に優れる。
【００１１】
また、一実施形態では、上記透過部材の厚さを、１ｍｍ以上かつ５ｍｍ以下にした。
【００１２】
この実施形態によれば、上記透過部材の厚さを１ｍｍ以上としたことで、強度を確保でき、外力によって変形したシートから受ける力で変形,破損することを防げる。また、透過部材の厚さを、５ｍｍ以下にしたので、透過部材が前面部から前方へ突出することを回避し前面部の平坦化を図れる。
【００１３】
また、一実施形態では、上記透過部材は、赤外線を透過すると共に着色されている。
【００１４】
この実施形態によれば、上記透過部材は、赤外線による信号光を透過できると共に透過部材が着色されていることで、前面部の外側から受光素子を見え難くすることができる。
【００１５】
また、一実施形態では、上記透過部材は、前面または裏面がシボを有する。
【００１６】
この実施形態によれば、上記透過部材に入射する信号光は、透過部材の前面または裏面のシボによって乱反射されるので、受光可能な受光素子の設置範囲を広げることができる。
【００１７】
また、一実施形態では、上記透過部材の裏面が凹凸部を有する。
【００１８】
この実施形態によれば、上記透過部材に入射する信号光は、透過部材の裏面の凹凸部によって乱反射されるので、受光可能な受光素子の設置範囲を広げることができる。
【発明の効果】
【００１９】
この発明の空気調和装置の室内機によれば、前面部に透過部材を覆うように取り付けられたシートに外力が加わって変形しても、上記シートよりも受光素子側で前面部の受光孔に取り付けた透過部材によって上記シートを支持するから、上記シートから受光素子に外力が加わらないようにでき、受光素子を外力から保護できる。
【発明を実施するための最良の形態】
【００２０】
以下、この発明を図示の実施の形態により詳細に説明する。
【００２１】
図１に、この発明の実施形態としての空気調和装置の室内機のキャビネット１を示す。このキャビネット１は、前面パネル２と前面グリル３を有する。この前面グリル３は前面部４を有する。図２に示すように、前面部４は、受光孔５を有する。なお、図２においては、シート７と透過部材６は、前面部４に取り付ける前の状態であり、シート７と透過部材６を前面部４から前方に離隔させた位置に描いている。
【００２２】
図２に示す透過部材６は、図３の断面図に示すように、フランジ部６Ｂが前面部４の裏面４Ａに固定され、凸部６Ａが受光孔５内に嵌め込まれる。また、図２に示すシート７は、前面部４に形成された突起８に接着される。なお、図２において、９はスリットであり、１０は表示用の発光ダイオードであり、１１はスイッチである。
【００２３】
図３に示すように、前面部４は、受光素子１２よりも前面側に位置すると共に受光孔５から受光素子１２へ光を通す。この実施形態では、受光素子１２をフォトダイオードとしたがフォトトランジスタとしてもよい。
【００２４】
また、シート７は、透過部材６を覆っている。また、前面部４の前面４Ｂは、シート７と略同一面にある。ここで、略同一面とは、前面４Ｂとシート７の前面７Ａとの間の距離が０.２ｍｍ以下であることをいう。なお、受光素子１２は、室内機本体１９に取り付けられている。
【００２５】
この実施形態では、シート７をポリエステル樹脂で作製した。また、この実施形態では、透明樹脂の一例としてのアクリル樹脂で透過部材６を作製した。また、この実施形態では、透過部材６の凸部６Ａの厚さを２ｍｍとした。また、この実施形態では、透過部材６は、赤外線を透過すると共に着色されている。また、この実施形態では、透過部材６の前面６Ｃにシボ加工を施した。さらに、この実施形態では、透明部材６の裏面に凹部１３と凸部１５からなる凹凸部１７を形成した。
【００２６】
この実施形態では、受光素子１２は、リモートコントローラ(図示せず)から送信されてシート７と透明部材６とを透過した信号光を受光して、空気調和装置の動作を制御するための信号を発生する。
【００２７】
また、この実施形態によれば、シート７に外力が加わって変形しても、シート７よりも受光素子１２側で前面部４の受光孔５に取付けた透過部材６によってシート７を支持するから、シート７から受光素子１２に外力が加わらないようにでき、受光素子１２を外力から保護できる。また、この実施形態では、前面部４の前面４Ｂとシート７とが略同一面にあるので、前面部４を平坦化でき、凹凸を少なくして損傷し難くできる。また、この実施形態では、透過部材６をアクリル樹脂で作製したので、透明性が高く圧力耐性に優れる。また、この実施形態では、透過部材６の厚さを１ｍｍ以上の２ｍｍとしたことで、強度を確保でき、外力によって変形したシートから受ける力で変形,破損することを防げる。また、透過部材６の凸部６Ａの厚さを、５ｍｍ以下の２ｍｍにしたので、透過部材６が前面部４から前方へ突出することを回避して前面部４の平坦化を図れる。
【００２８】
また、この実施形態では、透過部材６は、前面６Ｃにシボ加工を施したので、透過部材６に入射する信号光は、透過部材６の前面６Ｃのシボによって乱反射されるので、受光素子１２の受光可能な設置範囲を広げることができる。また、透過部材６は赤外線を透過すると共に着色されているので、透過部材６は赤外線による信号光を透過できる。また、着色された透過部材６によって、前面部４の外側から受光素子１２を見え難くできる。また、透過部材６に入射する信号光は、透過部材６の裏面の凹凸部１７によって乱反射されるので、受光素子１２の受光可能な設置範囲を広げることができる。
【００２９】
尚、上記実施形態では、透過部材６をアクリル樹脂製としたが、透過部材６を他の透明樹脂(例えばポリカーボネート)で作製してもよい。透過部材６をポリカーボネート製とした場合、耐衝撃性,耐熱性に優れる透過部材６となる。また、上記実施形態では、透過部材６の凸部６Ａの厚さを２ｍｍとしたが、透過部材６の凸部６Ａの厚さを１ｍｍ以上とすれば、強度を確保でき、外力によって変形したシート７から受ける力で変形,破損することを防げる。また、透過部材６の凸部６Ａの厚さを、５ｍｍ以下にすれば、透過部材６が前面部４から前方へ突出することを回避し前面部４の平坦化を図れる。また、上記実施形態では、透過部材６の前面６Ｃにシボ加工を施したが、透過部材６の裏面６Ｄにシボ加工を施してもよい。
【図面の簡単な説明】
【００３０】
【図１】この発明の実施形態としての空気調和装置の室内機のキャビネット１を示す斜視図である。
【図２】上記室内機のキャビネットの部分斜視図である。
【図３】上記室内機のキャビネットの前面グリルの前面部の部分断面図である。
【符号の説明】
【００３１】
１  キャビネット
２  前面パネル
３  前面グリル
４  前面部
４Ａ  裏面
４Ｂ  前面
５  受光孔
６  透過部材
６Ａ  凸部
６Ｂ  フランジ部
６Ｃ  前面
６Ｄ  裏面
７  シート
７Ａ  前面
８,９  突起
１０  表示用発光ダイオード
１１  スイッチ
１２  受光素子
１３  凹部
１５  凸部
１７  凹凸部
【図１】
2008267624.tif 000003
【図２】
2008267624.tif 000004
【図３】
2008267624.tif 000005